(57)【要約】【課題】リラクゼーション効果が高い複数色の光を簡易につくりだすことができる照明器具等を提供する。【解決手段】照明器具１は、発光部１０と、発光部１０から出射する光の調色制御を行う駆動回路２０とを備える。駆動回路２０は、ｘｙ色度図における色度座標を（ｘ、ｙ）とすると、発光部１０から出射する光が、（ｘ、ｙ）＝（０．１７０４、０．１１０７）、（０．３１５１、０．２４４２）、（０．４４７７、０．３４３６）の３点の第１近似直線上の点、及び、前記第１近似直線上の点からＭａｃＡｄａｍ楕円３ｓｔｅｐ以内に含まれる点を通るように調色制御を行う。【選択図】図８
2018055993.tif 000002
【特許請求の範囲】
【請求項１】
発光部と、
前記発光部から出射する光の調色制御を行う駆動回路とを備え、
前記駆動回路は、ｘｙ色度図における色度座標を（ｘ、ｙ）とすると、前記発光部から出射する光が、（ｘ、ｙ）＝（０．１７０４、０．１１０７）、（０．３１５１、０．２４４２）、（０．４４７７、０．３４３６）の３点の近似直線である第１近似直線上の点、及び、前記第１近似直線上の点からＭａｃＡｄａｍ楕円３ｓｔｅｐ以内に含まれる点に対応する色となるように前記調色制御を行う、
照明器具。
【請求項２】
前記発光部は、各々が前記第１近似直線上の点の光を発する２つの光源を有する、
請求項１に記載の照明器具。
【請求項３】
前記駆動回路は、前記発光部から出射する光が、（ｘ、ｙ）＝（０．３４７４、０．３９０９）、（０．４９００、０．４０８９）、（０．４４７６、０．４０７４）の３点の近似直線である第２近似直線上の点、及び、前記第２近似直線上の点からＭａｃＡｄａｍ楕円３ｓｔｅｐ以内に含まれる点に対応する色となるように前記調色制御を行う、
請求項１に記載の照明器具。
【請求項４】
前記発光部は、各々が前記第２近似直線上の点の光を発する２つの光源を有する、
請求項３に記載の照明器具。
【請求項５】
前記駆動回路は、前記発光部から出射する光が、（ｘ、ｙ）＝（０．１３５、０．１２０）と前記第１近似直線及びスペクトル軌跡の交点との２点を通る直線である第３直線上の点、及び、前記第３直線上の点からＭａｃＡｄａｍ楕円３ｓｔｅｐ以内に含まれる点に対応する色となるように前記調色制御を行う、
請求項１に記載の照明器具。
【請求項６】
前記発光部は、各々が前記第３直線上の点の光を発する２つの光源を有する、
請求項５に記載の照明器具。
【請求項７】
前記駆動回路は、前記発光部から出射する光が、（ｘ、ｙ）＝（０．３４７４、０．３９０９）、（０．４９００、０．４０８９）、（０．４４７６、０．４０７４）の３点の第２近似直線上の点及び前記第２近似直線上の点からＭａｃＡｄａｍ楕円３ｓｔｅｐ以内に含まれる点と、（ｘ、ｙ）＝（０．１３５、０．１２０）と前記第１近似直線及びスペクトル軌跡の交点との２点を通る第３直線上の点及び前記第３直線上の点からＭａｃＡｄａｍ楕円３ｓｔｅｐ以内に含まれる点に対応する色となるように前記調色制御を行う、
請求項１に記載の照明器具。
【請求項８】
前記発光部は、前記第１近似直線と前記第３直線との交点、前記第１近似直線と前記第２近似直線との交点、及び、前記第２近似直線と前記第３直線との交点の３つの交点に対応する色の光を発する３つの光源を有する、
請求項７に記載の照明器具。
【請求項９】
発光部と、
前記発光部から出射する光の調色制御を行う駆動回路とを備え、
ｘｙ色度図における色度座標を（ｘ、ｙ）とした場合、（ｘ、ｙ）＝（０．１７０４、０．１１０７）、（０．３１５１、０．２４４２）、（０．４４７７、０．３４３６）の３点の近似直線を第１近似直線とし、（ｘ、ｙ）＝（０．３４７４、０．３９０９）、（０．４９００、０．４０８９）、（０．４４７６、０．４０７４）の３点の近似直線を第２近似直線とし、（ｘ、ｙ）＝（０．１３５、０．１２０）と前記第１近似直線及びスペクトル軌跡の交点との２点を通る直線を第３直線とし、前記第１近似直線と前記第３直線との交点を頂点Ａとし、前記第１近似直線と前記第２近似直線との交点を頂点Ｂとし、前記第２近似直線と前記第３直線との交点を頂点Ｃとすると、
前記駆動回路は、前記発光部から出射する光が、線分ＡＢ、線分ＢＣ及び線分ＣＡの少なくとも１つの線分上の点及び前記線分上の点からＭａｃＡｄａｍ楕円３ｓｔｅｐ以内に含まれる点に対応する色となるように前記調色制御を行う、
照明器具。
【請求項１０】
発光部から出射する光の調色制御を行う照明制御方法であって、
ｘｙ色度図における色度座標を（ｘ、ｙ）とすると、前記発光部から出射する光が、（ｘ、ｙ）＝（０．１７０４、０．１１０７）、（０．３１５１、０．２４４２）、（０．４４７７、０．３４３６）の３点の第１近似直線上の点、及び、前記第１近似直線上の点からＭａｃＡｄａｍ楕円３ｓｔｅｐ以内に含まれる点に対応する色となるように前記調色制御を行う、
照明制御方法。
【発明の詳細な説明】
【技術分野】
【０００１】
本発明は、照明器具及び照明制御方法に関し、特に、リラクゼーション効果を高めることができる照明器具及び照明制御方法に関する。
【背景技術】
【０００２】
照明光によってリラクゼーション効果を得ることができる照明器具が知られている。この種の照明器具として、照明光の明るさを周期的に変化させることによって、人の呼吸のリズムを整えてリラックス状態に導く照明器具が提案されている（特許文献１）。
【先行技術文献】
【特許文献】
【０００３】
【特許文献１】特開２００５−３３９９９３号公報
【発明の概要】
【発明が解決しようとする課題】
【０００４】
これまで、光の色に着目してリラクゼーション効果を得る照明器具はあまり検討されていない。また、リラクゼーション効果が得られる色の光が検討されていたとしても、その光は特定の一色であり、リラクゼーション効果が高い複数の色の光を簡易につくりだすことにまでは至っていない。
【０００５】
本発明は、リラクゼーション効果が高い複数色の光を簡易につくりだすことができる照明器具又は照明制御方法を提供することを目的とする。
【課題を解決するための手段】
【０００６】
上記目的を達成するために、本発明に係る照明器具の一態様は、発光部と、前記発光部から出射する光の調色制御を行う駆動回路とを備え、前記駆動回路は、ｘｙ色度図における色度座標を（ｘ、ｙ）とすると、前記発光部から出射する光が、（ｘ、ｙ）＝（０．１７０４、０．１１０７）、（０．３１５１、０．２４４２）、（０．４４７７、０．３４３６）の３点の近似直線である第１近似直線上の点、及び、前記第１近似直線上の点からＭａｃＡｄａｍ楕円３ｓｔｅｐ以内に含まれる点に対応する色となるように前記調色制御を行うことを特徴とする。
【０００７】
また、本発明に係る他の照明器具の一態様は、発光部と、前記発光部から出射する光の調色制御を行う駆動回路とを備え、ｘｙ色度図における色度座標を（ｘ、ｙ）とした場合、（ｘ、ｙ）＝（０．１７０４、０．１１０７）、（０．３１５１、０．２４４２）、（０．４４７７、０．３４３６）の３点の近似直線を第１近似直線とし、（ｘ、ｙ）＝（０．３４７４、０．３９０９）、（０．４９００、０．４０８９）、（０．４４７６、０．４０７４）の３点の近似直線を第２近似直線とし、（ｘ、ｙ）＝（０．１３５、０．１２０）と前記第１近似直線及びスペクトル軌跡の交点との２点を通る直線を第３直線とし、前記第１近似直線と前記第３直線との交点を頂点Ａとし、前記第１近似直線と前記第２近似直線との交点を頂点Ｂとし、前記第２近似直線と前記第３直線との交点を頂点Ｃとすると、前記駆動回路は、前記発光部から出射する光が、線分ＡＢ、線分ＢＣ及び線分ＣＡの少なくとも１つの線分上の点及び前記線分上の点からＭａｃＡｄａｍ楕円３ｓｔｅｐ以内に含まれる点に対応する色となるように前記調色制御を行うことを特徴とする。
【０００８】
また、本発明に係る照明制御方法の一態様は、発光部から出射する光の調色制御を行う照明制御方法であって、ｘｙ色度図における色度座標を（ｘ、ｙ）とすると、前記発光部から出射する光が、（ｘ、ｙ）＝（０．１７０４、０．１１０７）、（０．３１５１、０．２４４２）、（０．４４７７、０．３４３６）の３点の第１近似直線上の点、及び、前記第１近似直線上の点からＭａｃＡｄａｍ楕円３ｓｔｅｐ以内に含まれる点に対応する色となるように前記調色制御を行うことを特徴とする。
【発明の効果】
【０００９】
リラクゼーション効果が高い複数色の光を簡易につくりだすことができる。
【図面の簡単な説明】
【００１０】
【図１】リラクゼーション効果（光色の好ましさ）の主観評価に関する実験を行う際に被験者に提示した３０色の光についての、色度座標、等価輝度及び机上面等価を示す図である。
【図２】リラクゼーション効果の主観評価に関する実験を行う際の評価尺度を示す図である。
【図３】リラクゼーション効果の主観評価に関する実験の結果、好ましいと評価された５つの色の光をプロットしたｕ’ｖ’色度図である。
【図４】リラクゼーション効果の生理評価に関する実験を説明するための図である。
【図５】リラクゼーション効果の生理評価に関する実験の結果、各評価区間における各光色についてのα波出現率を示す図である。
【図６】メラトニン分泌抑制の用スペクトルを示す図である。
【図７】図３に示されるリラクゼーション効果が高い５つの色の光と、図６に示されるメラトニン分泌に関するサーカディアンリズムの作用スペクトルの光とをプロットしたｘｙ色度図である。
【図８】図７における△ＡＢＣの３辺に対応する３つの近似直線を示す図である。
【図９】ＭａｃＡｄａｍ楕円３ｓｔｅｐを説明するための図である。
【図１０】実施の形態に係る照明器具の断面図である。
【発明を実施するための形態】
【００１１】
以下、本発明の実施の形態について、図面を参照しながら説明する。なお、以下に説明する実施の形態は、いずれも本発明の好ましい一具体例を示すものである。したがって、以下の実施の形態における構成要素のうち、本発明の最上位概念を示す独立請求項に記載されていない構成要素については、任意の構成要素として説明される。また、各図は、模式図であり、必ずしも厳密に図示されたものではない。
【００１２】
まず、本願発明者らは、照明光の光色に着目して、リラクゼーション効果を検討した。具体的には、図１に示される３０色の光について、リラクゼーション効果に関する実験を行った。
【００１３】
本実験では、図１に示される３０色の光を提示光色として被験者（評価者）に提示して、これらの３０色の光の各々について、図２に示される７段階の評価尺度で光の色の好ましさに関する主観評価を行った。つまり、図１に示される３０色の光について、光色の好ましさについての人の心理評価を行った。なお、本実験は、男女２１名の被験者で行い、７段階の評価尺度を１〜７の評価値として評価した。
【００１４】
そして、本実験により、平均評価値が５以上の光色のうち９０％の被験者（２１名のうちの１９名）が５以上をつけた光色を人が好ましい光色として評価したところ、図１の実線で囲まれる５つの色の光が好ましい光色であることが分かった。具体的には、電球色（色番号：５）、青色（色番号：６）、薄ピンク（色番号：１０）、薄緑（色番号：１８）、薄ピンク（色番号：２１）の５つの色の光が好ましい光色であることが分かった。つまり、この５つの色の光は、リラクゼーション効果を有すると考えられる。また、この５つの光色をｕ’ｖ’色度図上に示すと、図３に示す結果となる。
【００１５】
次に、上記主観評価の実験において評価が高かった光色が特定のユーザに依存せずにリラクゼーション効果を有するか否かを検証する検証実験を行った。具体的には、上記主観評価の実験で評価が高かった５つの光色のうち３つの光色（電球色（色番号：５）、青色（色番号：６）、薄ピンク（色番号：１０））と、上記主観評価の実験で評価が悪かった光色（深赤色（色番号：８））と、白色のとの５つの光を検証対象光色として、これらの検証対象光色のリラクゼーション効果についての生理評価を行った。なお、上記主観評価の実験で評価が悪かった光色の光は、平均評価値が３未満の光である。
【００１６】
この検証実験では、各検証対象光色の光を机上に照射して、図４に示すように、被験者に計算作業を行ってもらった。具体的には、最初の５分間（第１期間Ｔ１）では、机上のみ照明して被験者を安静状態（自由視）とし、次の１５分間（第２期間Ｔ２）では、継続して机上のみ照明したままで被験者に計算作業を行ってもらい、次の１５分間（第３期間Ｔ３）では、検証対象光色の光で照明して被験者を安静状態とし、次の２分間（第４期間Ｔ４）では、継続して検証対象光色の光で照明したままで被験者に閉眼してもらう。
【００１７】
そして、第１期間Ｔ１における「ＰＲ」で示される３分間、第２期間Ｔ２における「ＳＴ」で示される３分間、第３期間Ｔ３における「Ｒ１」、「Ｒ２」の各々で示される各３分間、及び、第４期間Ｔ４における「ＣＬ」で示される１分間の５つの評価区間での生理量を測定した。具体的には、生理量として被験者のα波を測定し、各評価区間でのα波の出現率を算出した。
【００１８】
図５は、その結果を示している。図５に示すように、「Ｒ１」、「Ｒ２」の評価区間では、主観評価が高かった３つの光色（電球色（色番号：５）、青色（色番号：６）、薄ピンク（色番号：１０））についてはα波の出現率が高く、主観評価が悪かった光色（深赤色（色番号：８）についてはα波の出現率が低い。つまり、主観評価が高かった光色については生理評価が高く、主観評価が悪かった光色については生理評価が低いことが分かった。これは、上記主観評価の実験結果を裏付けるものであり、主観評価が高い光色は主観評価が悪い光色よりもリラクゼーション効果が高いことを示唆する結果である。
【００１９】
なお、主観評価が高かった上記５つの光色のうち薄緑（色番号：１８）及び薄ピンク（色番号：２１）についても同様の結果が得られている。つまり、薄緑（色番号：１８）及び薄ピンク（色番号：２１）についても客観的にリラクゼーション効果が高い光色である。
【００２０】
以上、これらの実験の結果から、電球色（色番号：５）、青色（色番号：６）、薄ピンク（色番号：１０）、薄緑（色番号：１８）、薄ピンク（色番号：２１）の５つの色の光は、リラクゼーション効果が高い色の光であることが分かった。
【００２１】
一方、人の脳から分泌されるメラトニンは人をリラックスさせる作用を有するが、メラトニンは、メラトニン分泌時に目から一定の光が入ると分泌が抑制される。近年、光の波長（色）によって、メラトニン分泌の抑制度合いに差が生じることが分かってきた。図６は、そのメラトニン分泌を抑制する作用スペクトルを示している。図６に示される作用スペクトルをもとに、サーカディアンリズムの作用スペクトルに合わせた照明を行うことによって、覚醒の効果だけでなく、集中感の向上及びリラックス感の向上が得られる。
【００２２】
以上の検討により、図３に示されるリラクゼーション効果が高い５つの色の光と、図６に示されるメラトニン分泌に関するサーカディアンリズムの作用スペクトルの光とを、ｘｙｚ色度座標に変換してｘｙ色度図（ＣＩＥ１９３１）で表すと、図７に示す結果となる。
【００２３】
図７において、「Ｐ５」、「Ｐ６」、「Ｐ１０」、「Ｐ１８」、「Ｐ２１」の点は、それぞれ、電球色（色番号：５）、青色（色番号：６）、薄ピンク（色番号：１０）、薄緑（色番号：１８）、薄ピンク（色番号：２１）に対応し、図３に示されるリラクゼーション効果が高い５つの色の光の点を示している。また、「ＰＭｌｔ」の点は、図６に示されるスペクトルのピーク波長に対応する色に対応し、メラトニン分泌に関してリラクゼーション効果が高い色の光の点を示している。
【００２４】
図７に示すように、「Ｐ５」、「Ｐ６」、「Ｐ１０」、「Ｐ１８」、「Ｐ２１」、「ＰＭｌｔ」の６つの点を全て通るように図形を描くと、これらの６つの点は、一つの三角形（△ＡＢＣ）の辺上に概ね乗ることが分かった。したがって、この三角形（△ＡＢＣ）の辺をなす直線上で照明光の調色制御を行うことでリラクゼーション効果の高い空間を作りだすことができると考えられる。
【００２５】
図７に示すｘｙ色度図において、△ＡＢＣの３つの頂点Ａ、Ｂ、Ｃは、直線ＡＢ、直線ＢＣ、直線ＣＡの３つの直線の交点である。
【００２６】
ここで、直線ＡＢは、「Ｐ６」と「Ｐ２１」と「Ｐ１０」との３点の近似直線である第１近似直線Ｌ１として表される。つまり、第１近似直線Ｌ１は、Ｐ６（０．１７０４、０．１１０７）、Ｐ２１（０．３１５１、０．２４４２）、Ｐ１０（０．４４７７、０．３４３６）の３点の近似直線である。
【００２７】
また、直線ＢＣは、「Ｐ１８」と「Ｐ５」と「Ａ光源」との３点の近似直線である第２近似直線Ｌ２として表される。なお、「Ａ光源」とは、ＣＩＥで規定される標準光源の一つであり、色温度が約２８５６Ｋになるように点灯したガス入りタングステン電球の光である。ｘｙ色度図における「Ａ光源」の色度座標は、（ｘ、ｙ）＝（０．４４７６、０．４０７４）である。つまり、第２近似直線Ｌ２は、Ｐ１８（０．３４７４、０．３９０９）、Ｐ５（０．４９００、０．４０８９）、Ａ光源（０．４４７６、０．４０７４）の３点の近似直線である。
【００２８】
また、直線ＣＡは、「ＰＭｌｔ」と直線ＡＢ及びスペクトル軌跡の交点との２つの点を通る第３直線Ｌ３として表される。なお、「ＰＭｌｔ」の色度座標は、（ｘ、ｙ）＝（０．１３５、０．１２０）である。つまり、第３直線Ｌ３は、ＰＭｌｔ（０．１３５、０．１２０）と第１近似直線Ｌ１及びスペクトル軌跡の交点との２点を通る直線である。
【００２９】
これらの３つの直線を算出すると、第１近似直線Ｌ１、第２近似直線Ｌ２及び第３直線Ｌ３は、以下の式で表される。また、この計算結果により算出された３つの直線を図８に示す。
【００３０】
第１近似直線Ｌ１：ｙ＝０．８４１１ｘ−０．０２２８
第２近似直線Ｌ２：ｙ＝０．１３２９ｘ＋０．３４５５
第３直線Ｌ３    ：ｙ＝２．９２２６ｘ−０．２７４５
【００３１】
このように、第１近似直線Ｌ１（直線ＡＢ）上、第２近似直線Ｌ２（直線ＢＣ）上及び第３直線Ｌ３（直線ＣＡ）上の点に対応する光色（色度）となるように照明光の調色制御を行うことで高いリラクゼーション効果を得ることができることが分かった。
【００３２】
また、本実施の形態において、人がリラクゼーション効果を得るには、必ずしも、第１近似直線Ｌ１上、第２近似直線Ｌ２上及び第３直線Ｌ３上の点の光色の光である必要はなく、第１近似直線Ｌ１上、第２近似直線Ｌ２上及び第３直線Ｌ３上の点に対応する光色と同一色であると知覚できる色の光であればよい。
【００３３】
ここで、人が同一色であると知覚できる色の範囲は、図９に示すように、ＭａｃＡｄａｍ楕円３ｓｔｅｐ以内であればよい。ＭａｃＡｄａｍ楕円３ｓｔｅｐは、標準偏差の約３倍を色弁別の丁度可知差異としたものである。なお、図９に示されるＭａｃＡｄａｍ楕円（３ｓｔｅｐ）は、実際の楕円の大きさの１０倍で示されている。
【００３４】
以上の検討結果をもとに、本願発明者が鋭意検討した結果、第１近似直線Ｌ１、第２近似直線Ｌ２及び第３直線Ｌ３の少なくともいずれか１つの直線上の点に対応する光色となるように照明光の調色制御を行うことで、並びに、第１近似直線Ｌ１、第２近似直線Ｌ２及び第３直線Ｌ３の少なくともいずれか１つの点を中心としてＭａｃＡｄａｍ楕円３ｓｔｅｐ以内の範囲に含まれる点に対応する光色となるように照明光の調色制御を行うことで、高いリラクゼーション効果が得られるという着想を得ることができた。
【００３５】
本実施の形態に係る照明器具及び照明制御方法は、このような着想に基づいてなされたものである。以下、本着想を実現するための具体的な手段として、本実施の形態に係る照明器具１及び照明制御方法の一具体例を、図１０を用いて説明する。図１０は、実施の形態に係る照明器具１の断面図である。
【００３６】
図１０に示すように、実施の形態に係る照明器具１は、発光部１０と、駆動回路２０と、筐体３０と、透光カバー４０とを備える。
【００３７】
発光部１０は、照明光を出射する発光モジュールである。本実施の形態において、発光部１０は、ＬＥＤ（Ｌｉｇｈｔ  Ｅｍｉｔｔｉｎｇ  Ｄｉｏｄｅ）を光源とするＬＥＤモジュールである。発光部１０は、筐体３０に収納されている。
【００３８】
発光部１０は、駆動回路２０から供給される電力によって発光する。本実施の形態における発光部１０は、駆動回路２０によって調色制御されることで、複数の光色の光を照射することができる。
【００３９】
発光部１０は、例えば、基板１１と、第１光源１２Ａ、第２光源１２Ｂ及び第３光源１２Ｃとを有する。
【００４０】
基板１１は、第１光源１２Ａ、第２光源１２Ｂ及び第３光源１２Ｃを実装するための実装基板である。基板１１としては、例えば、樹脂基板、セラミックス基板又はメタルベース基板等を用いることができる。
【００４１】
第１光源１２Ａは、図７及び図８における△ＡＢＣの頂点Ａにおける色度座標に対応する光色の光を発する。つまり、第１光源１２Ａは、第１近似直線Ｌ１と第３直線Ｌ３との交点（頂点Ａ）に対応する色の光を発する。第１光源１２Ａが発する光の光色は、青色に近い色である。
【００４２】
第２光源１２Ｂは、図７及び図８における△ＡＢＣの頂点Ｂにおける色度座標に対応する光色の光を発する。つまり、第２光源１２Ｂは、第１近似直線Ｌ１と第２近似直線Ｌ２との交点（頂点Ｂ）に対応する色の光を発する。第２光源１２Ｂが発する光の光色は、薄オレンジ色に近い色である。
【００４３】
第３光源１２Ｃは、図７及び図８における△ＡＢＣの頂点Ｃにおける色度座標に対応する光色の光を発する。つまり、第３光源１２Ｃは、第２近似直線Ｌ２と第３直線Ｌ３との交点（頂点Ｃ）に対応する色の光を発する。第３光源１２Ｃが発する光の光色は、薄緑色に近い光である。
【００４４】
第１光源１２Ａ、第２光源１２Ｂ及び第３光源１２Ｃは、パッケージ化された表面実装（ＳＭＤ：Ｓｕｒｆａｃｅ  Ｍｏｕｎｔ  Ｄｅｖｉｃｅ）型のＬＥＤ素子である。一例として、第１光源１２Ａ、第２光源１２Ｂ及び第３光源１２Ｃの各々は、凹部を有する白色樹脂製のパッケージ（容器）と、パッケージの凹部の底面に一次実装されたＬＥＤチップ（ベアチップ）と、パッケージの凹部内に封入された封止部材とを有している。封止部材は、例えばシリコーン樹脂等の透光性樹脂材料で構成されている。封止部材には、蛍光体等の波長変換材が含有されており、波長変換材で波長変換された光（例えば蛍光体から発する光）とＬＥＤチップが発する光とが混色することで所望の光色の光となる。つまり、第１光源１２Ａ、第２光源１２Ｂ及び第３光源１２Ｃの各々は、１つ又は複数のＬＥＤチップと１種類又は複数種類の波長変換材（蛍光体等）との組み合わせによって所望の色の光を発することができる。
【００４５】
駆動回路２０は、発光部１０を発光させるための電力を生成して発光部１０に供給する。つまり、駆動回路２０は、発光部１０を発光させるための電源回路としての機能を有する。具体的には、駆動回路２０は、照明器具１に入力された交流電力を直流電力に変換して、第１光源１２Ａ、第２光源１２Ｂ及び第３光源１２Ｃに直流電力を供給する。これにより、第１光源１２Ａ、第２光源１２Ｂ及び第３光源１２Ｃが発光する。
【００４６】
また、駆動回路２０は、発光部１０から出射する光の調色制御を行う。つまり、駆動回路２０は、発光部１０の制御を行う制御回路としての機能を有する。具体的には、駆動回路２０は、第１光源１２Ａ、第２光源１２Ｂ及び第３光源１２Ｃを調光することで、発光部１０から出射する光の調色制御を行っている。つまり、駆動回路２０は、第１光源１２Ａ、第２光源１２Ｂ及び第３光源１２Ｃの光出力比を調整することによって発光部１０から出射する光の調色制御を行っている。
【００４７】
本実施の形態において、駆動回路２０は、少なくとも発光部１０から出射する光が第１近似直線Ｌ１上の点及び第１近似直線Ｌ１上の点からＭａｃＡｄａｍ楕円３ｓｔｅｐ以内に含まれる点に対応する色となるように発光部１０の調色制御を行っている。このように発光部１０が駆動回路２０によって調色制御されることで、発光部１０が発する光の色度座標（色度）は、第１近似直線Ｌ１上の点及び第１近似直線Ｌ１上の点からＭａｃＡｄａｍ楕円３ｓｔｅｐ以内に含まれる点に位置することになる。
【００４８】
一例として、発光部１０から出射する光を第１近似直線Ｌ１（直線ＡＢ）のみの点に対応する色の光となるように調色する場合、第３光源１２Ｃの出力をゼロとし（つまり、第３光源１２Ｃを消灯し）、第１光源１２Ａ及び第２光源１２Ｂの光出力比を適宜調整すればよい。これにより、直線ＡＢの範囲内の特定の光色となるように発光部１０から出射する光を調色することができる。
【００４９】
さらに、本実施の形態では、駆動回路２０は、発光部１０から出射する光が第２近似直線Ｌ２上の点及び第２近似直線Ｌ２上の点からＭａｃＡｄａｍ楕円３ｓｔｅｐ以内に含まれる点に対応する色となるように発光部１０の調色制御を行うことができる。
【００５０】
例えば、発光部１０から出射する光を第２近似直線Ｌ２（直線ＢＣ）のみの点に対応する色の光となるように調色する場合、第１光源１２Ａの出力をゼロとし、第２光源１２Ｂ及び第３光源１２Ｃの光出力比を適宜調整すればよい。これにより、直線ＢＣの範囲内の特定の光色となるように発光部１０から出射する光を調色することができる。
【００５１】
さらに、本実施の形態では、駆動回路２０は、発光部１０から出射する光が第３直線Ｌ３上の点及び第３直線Ｌ３上の点からＭａｃＡｄａｍ楕円３ｓｔｅｐ以内に含まれる点に対応する色となるように発光部１０の調色制御を行うことができる。
【００５２】
例えば、発光部１０から出射する光を第３直線Ｌ３（直線ＣＡ）のみの点に対応する色の光となるように調色する場合、第２光源１２Ｂの出力をゼロとし、第３光源１２Ｃ及び第１光源１２Ａの光出力比を適宜調整すればよい。これにより、直線ＣＡの範囲内の特定の光色となるように発光部１０から出射する光を調色することができる。
【００５３】
筐体３０は、発光部１０及び駆動回路２０を収納する本体である。発光部１０は、筐体３０に固定されている。筐体３０は、例えば、樹脂製であるが、これに限らず、金属製であってもよい。
【００５４】
透光カバー４０は、透光性部材からなる光学部品であり、例えばアクリル又はポリカーボネート等の透明樹脂材料によって構成される。透光カバー４０は、発光部１０を覆うように筐体３０の開口部に設けられている。透光カバー４０は、光拡散性（光散乱性）を有する拡散カバーであるとよい。例えば、透光性樹脂材料に光反射微粒子等の光拡散材を分散させて透光カバー４０を作製することで、透光カバー４０に光拡散性を持たせることができる。
【００５５】
以上、本実施の形態における照明器具１によれば、発光部１０と、発光部１０から出射する光の調色制御を行う駆動回路２０とを備える。そして、駆動回路２０は、ｘｙ色度図における色度座標を（ｘ、ｙ）とすると、発光部１０から出射する光が、（ｘ、ｙ）＝Ｐ６（０．１７０４、０．１１０７）、Ｐ２１（０．３１５１、０．２４４２）、Ｐ１０（０．４４７７、０．３４３６）の３点の第１近似直線Ｌ１上の点、及び、第１近似直線Ｌ１上の点からＭａｃＡｄａｍ楕円３ｓｔｅｐ以内に含まれる点に対応する色となるように、発光部１０から出射する光の調色制御を行っている。
【００５６】
これにより、リラクゼーション効果が高い複数色の光を簡易につくりだすことができる。したがって、リラクゼーション効果の高い複数の空間を容易につくりだすことができる。このため、一般的に光の色によって連想される光源のイメージは異なるが、本実施の形態における照明器具１を用いることで、その時のイメージにあったリラクゼーション効果を高める光色をつくりだすことができる。
【００５７】
また、本実施の形態では、発光部１０から出射する光が第１近似直線Ｌ１上の点に対応する色となるように発光部１０の調色制御を行うために、第１光源１２Ａ及び第２光源１２Ｂを用いたが、これに限るものではなく、各々が第１近似直線Ｌ１上の点の光を発する２つの光源を用いて光出力比を調整することでも、発光部１０から出射する光が第１近似直線Ｌ１上の点に対応する色となるように発光部１０の調色制御を行うことができる。
【００５８】
また、本実施の形態における照明器具１において、駆動回路２０は、発光部１０から出射する光が、第１近似直線Ｌ１上の点及び第１近似直線Ｌ１上の点からＭａｃＡｄａｍ楕円３ｓｔｅｐ以内に含まれる点に対応する色となるように発光部１０の調色制御を行うことに加えて、さらに、発光部１０から出射する光が、（ｘ、ｙ）＝Ｐ１８（０．３４７４、０．３９０９）、Ｐ５（０．４９００、０．４０８９）、Ａ光源（０．４４７６、０．４０７４）の３点の第２近似直線Ｌ２上の点、及び、第２近似直線Ｌ２上の点からＭａｃＡｄａｍ楕円３ｓｔｅｐ以内に含まれる点に対応する色となるように発光部１０の調色制御を行っている。
【００５９】
これにより、リラクゼーション効果が高い光色の光をさらに複数つくりだすことができる。したがって、リラクゼーション効果が高い光色の光としてつくりだすことができる光の選択肢を増やすことができる。
【００６０】
この場合、本実施の形態では、発光部１０から出射する光が第２近似直線Ｌ２上の点に対応する色となるように発光部１０の調色制御を行うために、第２光源１２Ｂ及び第３光源１２Ｃを用いたが、これに限るものではなく、各々が第２近似直線Ｌ２上の点の光を発する２つの光源を用いて光出力比を調整することでも、発光部１０から出射する光が第２近似直線Ｌ２上の点に対応する色となるように発光部１０の調色制御を行うことができる。
【００６１】
また、本実施の形態における照明器具１において、駆動回路２０は、発光部１０から出射する光が、第１近似直線Ｌ１上の点及び第１近似直線Ｌ１上の点からＭａｃＡｄａｍ楕円３ｓｔｅｐ以内に含まれる点に対応する色となるように発光部１０の調色制御を行うことに加えて、さらに、発光部１０から出射する光が、（ｘ、ｙ）＝ＰＭｌｔ（０．１３５、０．１２０）と第１近似直線Ｌ１及びスペクトル軌跡の交点との２点を通る第３直線Ｌ３上の点、及び、第３直線Ｌ３上の点からＭａｃＡｄａｍ楕円３ｓｔｅｐ以内に含まれる点に対応する色となるように発光部１０の調色制御を行ってもよい。
【００６２】
これにより、リラクゼーション効果が高い光色の光をさらに複数つくりだすことができる。したがって、リラクゼーション効果が高い光色の光としてつくりだすことができる光の選択肢を増やすことができる。
【００６３】
この場合、本実施の形態では、発光部１０から出射する光が第３直線Ｌ３上の点に対応する色となるように発光部１０の調色制御を行うために、第３光源１２Ｃ及び第１光源１２Ａを用いたが、これに限るものではなく、各々が第３直線Ｌ３上の点の光を発する２つの光源を用いて光出力比を調整することでも、発光部１０から出射する光が第３近似Ｌ３上の点に対応する色となるように発光部１０の調色制御を行うことができる。
【００６４】
また、本実施の形態における照明器具１において、駆動回路２０は、発光部１０から出射する光が、第１近似直線Ｌ１上の点及び第１近似直線Ｌ１上の点からＭａｃＡｄａｍ楕円３ｓｔｅｐ以内に含まれる点に対応する色となるように発光部１０の調色制御を行うことに加えて、さらに、発光部１０から出射する光が、（ｘ、ｙ）＝Ｐ１８（０．３４７４、０．３９０９）、Ｐ５（０．４９００、０．４０８９）、Ａ光源（０．４４７６、０．４０７４）の３点の第２近似直線Ｌ２上の点、及び、第２近似直線Ｌ２上の点からＭａｃＡｄａｍ楕円３ｓｔｅｐ以内に含まれる点に対応する色となるように発光部１０の調色制御を行うとともに、発光部１０から出射する光が、（ｘ、ｙ）＝ＰＭｌｔ（０．１３５、０．１２０）と第１近似直線Ｌ１及びスペクトル軌跡の交点との２点を通る第３直線Ｌ３上の点、及び、第３直線Ｌ３上の点からＭａｃＡｄａｍ楕円３ｓｔｅｐ以内に含まれる点に対応する色となるように発光部１０の調色制御を行っている。
【００６５】
つまり、駆動回路２０は、発光部１０から出射する光が△ＡＢＣの任意の３辺上の特定の点及びこの特定の点からＭａｃＡｄａｍ楕円３ｓｔｅｐ以内に含まれる点に対応する光色となるように発光部１０の調色制御を行っている。
【００６６】
この場合、発光部１０としては、第１近似直線Ｌ１と第３直線Ｌ３との交点（頂点Ａ）、第１近似直線Ｌ１と第２近似直線Ｌ２との交点（頂点Ｂ）、及び、第２近似直線Ｌ２と第３直線Ｌ３との交点（頂点Ｃ）の３つの交点に対応する色の光を発する３つの光源を用いることで実現できる。具体的には、本実施の形態では、発光部１０として、第１光源１２Ａ、第２光源１２Ｂ及び第３光源１２Ｃを用いている。
【００６７】
これにより、リラクゼーション効果が高い光色の光をさらに複数つくりだすことができる。したがって、リラクゼーション効果が高い光色の光としてつくりだすことができる光の選択肢をさらに増やすことができる。
【００６８】
なお、本実施の形態では、駆動回路２０は、発光部１０から出射する光が、少なくとも第１近似直線Ｌ１上の点及び第１近似直線Ｌ１上の点からＭａｃＡｄａｍ楕円３ｓｔｅｐ以内に含まれる点に対応する色となるように、発光部１０の調色制御を行ったが、これに限らない。
【００６９】
例えば、駆動回路２０は、発光部１０から出射する光が、線分ＡＢ、線分ＢＣ及び線分ＣＡの少なくとも１つの線分上の点及び当該線分上の点からＭａｃＡｄａｍ楕円３ｓｔｅｐ以内に含まれる点に対応する色となるように発光部１０の調色制御を行ってもよい。つまり、駆動回路２０は、発光部１０から出射する光が、△ＡＢＣの任意の辺上の点及び当該辺上の点からＭａｃＡｄａｍ楕円３ｓｔｅｐ以内に含まれる点に対応する色となるように発光部１０の調色制御を行ってもよい。例えば、駆動回路２０は、線分ＡＢのみに限らず、線分ＢＣのみ又は線分ＣＡのみに対応する色となるように発光部１０の光の調色制御を行ってもよい。
【００７０】
また、本発明は、照明制御方法としても実現できる。具体的には、本実施の形態における照明制御方法は、発光部１０から出射する光の調色制御を行う照明制御方法であって、ｘｙ色度図における色度座標を（ｘ、ｙ）とすると、発光部１０から出射する光が、（ｘ、ｙ）＝Ｐ６（０．１７０４、０．１１０７）、Ｐ２１（０．３１５１、０．２４４２）、Ｐ１０（０．４４７７、０．３４３６）の３点の第１近似直線Ｌ１上の点、及び、第１近似直線Ｌ１上の点からＭａｃＡｄａｍ楕円３ｓｔｅｐ以内に含まれる点に対応する色となるように、発光部１０から出射する光の調色制御を行う。
【００７１】
これにより、リラクゼーション効果が高い複数色の光を簡易につくりだすことができる。
【００７２】
なお、照明制御方法においても、第１近似直線Ｌ１（直線ＡＢ）に沿って発光部１０の調色制御を行うことに限らず、発光部１０から出射する光が、線分ＡＢ、線分ＢＣ及び線分ＣＡの少なくとも１つの線分上の点及び当該線分上の点からＭａｃＡｄａｍ楕円３ｓｔｅｐ以内に含まれる点に対応する色となるように、発光部１０から出射する光の調色制御を行ってもよい。つまり、発光部１０から出射する光が△ＡＢＣの任意の辺上の点及び当該辺上の点からＭａｃＡｄａｍ楕円３ｓｔｅｐ以内に含まれる点に対応する色となるように発光部１０から出射する光の調色制御を行ってもよい。
【００７３】
（変形例）
以上、本発明に係る照明器具及び照明制御方法について、実施の形態に基づいて説明したが、本発明は、上記実施の形態に限定されるものではない。
【００７４】
例えば、上記実施の形態において、発光部１０は、ＳＭＤ型のＬＥＤ素子を用いたＳＭＤタイプのＬＥＤモジュールであったが、これに限らない。例えば、発光部１０は、ＣＯＢ（Ｃｈｉｐ  Ｏｎ  Ｂｏａｒｄ）タイプのＬＥＤモジュールであってもよい。この場合、第１光源１２Ａ、第２光源１２Ｂ及び第３光源１２Ｂの各々は、基板に直接実装された１つ以上のＬＥＤチップ（ベアチップ）と、ＬＥＤチップを封止する蛍光体含有樹脂等の封止部材とによって構成される。
【００７５】
また、上記実施の形態において、照明器具１は、例えば住宅用又は非住宅用（オフィス、ビル、店舗等）のリラクゼーションルームや休憩室等のシーリングライト（ベースライト）として用いることができるが、これに限るものではない。例えば、発光部１０を有する照明器具として、ダウンライト、スポットライト、ペンダントライト、スタンドライト等にも適用できる。また、照明器具１は、主照明として用いられてもよいし、補助照明として用いられてもよい。
【００７６】
また、本発明は、第１光源１２Ａ、第２光源１２Ｂ及び第３光源１２Ｃを備える照明制御システムとして実現することもできる。
【００７７】
また、本発明は、コンピュータ等のマイクロプロセッサを備える装置に、上記照明制御方法を実行させるためのプログラムとして実現したり、そのプログラムを格納したコンピュータ読み取り可能な記録媒体として実現したりすることもできる。
【００７８】
なお、その他、各実施の形態及び変形例に対して当業者が思いつく各種変形を施して得られる形態や、本発明の趣旨を逸脱しない範囲で実施の形態における構成要素及び機能を任意に組み合わせることで実現される形態も本発明に含まれる。
【符号の説明】
【００７９】
１  照明器具
１０  発光部
１２Ａ  第１光源
１２Ｂ  第２光源
１２Ｃ  第３光源
２０  駆動回路
【図１】
2018055993.tif 000003
【図２】
2018055993.tif 000004
【図３】
2018055993.tif 000005
【図４】
2018055993.tif 000006
【図５】
2018055993.tif 000007
【図６】
2018055993.tif 000008
【図７】
2018055993.tif 000009
【図８】
2018055993.tif 000010
【図９】
2018055993.tif 000011
【図１０】
2018055993.tif 000012